(57)【要約】【課題】防災装置に関する伝達情報を伝達対象者に確実に伝達する防災システムを提供すること。【解決手段】  受信機１００に関する伝達情報であって、伝達対象者に伝達するべき伝達情報を受け付ける受付部１７１と、受付部１７１が受け付けた伝達情報を、当該伝達情報の伝達対象者に出力する出力部１７２と、を備え、出力部１７２は、伝達対象者を示す情報を出力し、また、出力部１７２は、伝達情報を、受信機１００のディスプレイを介して出力し、また、出力部１７２は、出力タイミング特定情報に基づいて伝達情報を出力するタイミングを特定し、特定したタイミングに伝達情報を出力するための処理を行い、また、受付部１７１は、伝達情報を、受信機１００のタッチパッドを介して受け付ける。【選択図】図２
2020027502.tif 000002
【特許請求の範囲】
【請求項１】
防災装置に関する伝達情報であって、伝達対象者に伝達するべき前記伝達情報を受け付ける受付手段と、
前記受付手段が受け付けた前記伝達情報を、当該伝達情報の前記伝達対象者に出力する出力手段と、
を備える防災システム。
【請求項２】
前記出力手段は、前記伝達対象者を示す情報を出力する、
請求項１に記載の防災システム。
【請求項３】
前記出力手段は、前記伝達情報を、前記防災装置の情報出力部を介して出力する、
請求項１又は２に記載の防災システム。
【請求項４】
前記出力手段は、前記伝達情報を、音にて出力する、
請求項１から３の何れか一項に記載の防災システム。
【請求項５】
前記出力手段は、前記伝達情報を、印字して出力する、
請求項１から４の何れか一項に記載の防災システム。
【請求項６】
前記出力手段は、前記伝達情報を、表示部を有する他の装置を介して表示出力し、
前記他の装置は、少なくとも、防災受信機、表示盤、又は地図盤を含む、
請求項１から５の何れか一項に記載の防災システム。
【請求項７】
前記他の装置における前記防災受信機以外の装置である対象装置は、前記防災装置に対応する位置に設置されており、
前記出力手段は、前記受付手段が前記伝達情報を受け付けた場合、当該伝達情報に関する前記防災装置に対応する位置に設置されている前記対象装置を特定し、前記伝達情報を、特定した当該対象装置及び前記防災受信機を介して表示出力する、
請求項６に記載の防災システム。
【請求項８】
前記出力手段は、出力タイミング特定情報に基づいて前記伝達情報を出力するタイミングを特定し、特定したタイミングに前記伝達情報を出力するための処理を行う、
請求項１から７の何れか一項に記載の防災システム。
【請求項９】
前記受付手段は、前記伝達情報を、前記防災装置の情報入力部を介して受け付ける、
請求項１から８の何れか一項に記載の防災システム。
【発明の詳細な説明】
【技術分野】
【０００１】
本発明は、防災システムに関する。
【背景技術】
【０００２】
従来、監視領域の火災を報知するための防災設備として、防災受信機が知られていた（例えば、特許文献１参照）。
【先行技術文献】
【特許文献】
【０００３】
【特許文献１】特開２０１６−０４０６８５号公報
【発明の概要】
【発明が解決しようとする課題】
【０００４】
ところで、特許文献１の防災受信機を含む防災装置を施工する場合において、複数の作業員各々が、自己の担当作業を順次行うことがあるが、この場合、作業を確実に進めるために、複数の作業員間で申し送り事項を伝達することがあった。
【０００５】
そして、申し送り事項を伝達する場合、一般的には、防災装置にビニールテープを付した上で、当該ビニールテープに申し送り事項を記載することにより伝達していた。
【０００６】
しかしながら、ビニールテープに申し送り事項を記載する場合、申し送り事項を伝達される者が、当該ビニールテープの存在に気付かなかったり、あるいは、ビニールテープが剥がれてしまったりする可能性があり、申し送り事項が確実に伝達されなくなる可能性があった。
【０００７】
本発明は上記問題に鑑みてなされたもので、防災装置に関する伝達情報を伝達対象者に確実に伝達する防災システムを提供することを目的とする。
【課題を解決するための手段】
【０００８】
上述した課題を解決し、目的を達成するために、請求項１に記載の防災システムは、防災装置に関する伝達情報であって、伝達対象者に伝達するべき前記伝達情報を受け付ける受付手段と、前記受付手段が受け付けた前記伝達情報を、当該伝達情報の前記伝達対象者に出力する出力手段と、を備える。
【０００９】
請求項２に記載の防災システムは、請求項１に記載の防災システムにおいて、前記出力手段は、前記伝達対象者を示す情報を出力する。
【００１０】
請求項３に記載の防災システムは、請求項１又は２に記載の防災システムにおいて、前記出力手段は、前記伝達情報を、前記防災装置の情報出力部を介して出力する。
【００１１】
請求項４に記載の防災システムは、請求項１から３の何れか一項に記載の防災システムにおいて、前記出力手段は、前記伝達情報を、音にて出力する。
【００１２】
請求項５に記載の防災システムは、請求項１から４の何れか一項に記載の防災システムにおいて、前記出力手段は、前記伝達情報を、印字して出力する。
【００１３】
請求項６に記載の防災システムは、請求項１から５の何れか一項に記載の防災システムにおいて、前記出力手段は、前記伝達情報を、表示部を有する他の装置を介して表示出力し、前記他の装置は、少なくとも、防災受信機、表示盤、又は地図盤を含む。
【００１４】
請求項７に記載の防災システムは、請求項６に記載の防災システムにおいて、前記他の装置における前記防災受信機以外の装置である対象装置は、前記防災装置に対応する位置に設置されており、前記出力手段は、前記受付手段が前記伝達情報を受け付けた場合、当該伝達情報に関する前記防災装置に対応する位置に設置されている前記対象装置を特定し、前記伝達情報を、特定した当該対象装置及び前記防災受信機を介して表示出力する。
【００１５】
請求項８に記載の防災システムは、請求項１から７の何れか一項に記載の防災システムにおいて、前記出力手段は、出力タイミング特定情報に基づいて前記伝達情報を出力するタイミングを特定し、特定したタイミングに前記伝達情報を出力するための処理を行う。
【００１６】
請求項９に記載の防災システムは、請求項１から８の何れか一項に記載の防災システムにおいて、前記受付手段は、前記伝達情報を、前記防災装置の情報入力部を介して受け付ける。
【発明の効果】
【００１７】
請求項１に記載の防災システムによれば、受付手段が受け付けた伝達情報を、伝達情報の伝達対象者に出力することにより、例えば、防災装置に関する伝達情報を伝達対象者に確実に伝達することが可能となる。
【００１８】
請求項２に記載の防災システムによれば、伝達対象者を示す情報を出力することにより、例えば、防災システムのユーザに対して、自己に伝達されるべき情報であるか否かを判断させることができるので、ユーザに無関係な情報を読ませることにより時間を浪費させたり、あるいは、ユーザによる伝達情報の見落としを防止したりすることが可能となる。
【００１９】
請求項３に記載の防災システムによれば、伝達情報を防災装置の情報出力部を介して出力することが可能となるので、例えば、伝達情報に関連する防災装置の側で伝達情報を確認することができるので、防災装置に関する作業時等に伝達情報を確認することができ、利便性を向上させることが可能となる。
【００２０】
請求項４に記載の防災システムによれば、伝達情報を音にて出力することにより、例えば、伝達対象者に対して伝達情報の存在を気付かせることができるので、防災装置に関する伝達情報を伝達対象者に確実に伝達することが可能となる。また、例えば、防災装置の施工中等の比較的煩雑で見通しが良くない場合においても、防災装置に関する伝達情報を伝達対象者に確実に伝達することが可能となる。
【００２１】
請求項５に記載の防災システムによれば、伝達情報を印字して出力することにより、例えば、伝達情報を残すことができるので、一度見て失念した伝達情報を思い出させることが可能となる。
【００２２】
請求項６に記載の防災システムによれば、伝達情報を他の装置を介して表示出力することにより、例えば、防災装置から離れた場所にて伝達情報を伝達することができるので、利便性を向上させることが可能となる。特に、例えば、防災装置の施工中等の騒然としている場合においても、防災装置に関する伝達情報を伝達対象者に確実に伝達することが可能となる。
【００２３】
請求項７に記載の防災システムによれば、伝達情報に関する防災装置に対応する位置に設置されている対象装置を特定し、伝達情報を、特定した当該対象装置及び防災受信機を介して表示出力することにより、例えば、防災受信機側に加えて、伝達情報に関連する防災装置の設置位置に対応する位置に設置されている対象装置側でも、伝達情報を確認させることができるので、利便性を更に向上させることが可能となる。
【００２４】
請求項８に記載の防災システムによれば、特定したタイミングに伝達情報を出力するための処理を行うことが可能となるので、例えば、伝達情報を確認するべき適切なタイミングに当該伝達情報を確認させることが可能となる。
【００２５】
請求項９に記載の防災システムによれば、伝達情報を防災装置の情報入力部を介して受け付けることにより、例えば、伝達情報に関連する防災装置の側で伝達情報を入力することができるので、防災装置に関する作業時等に伝達情報を入力することができ、利便性を向上させることが可能となる。
【図面の簡単な説明】
【００２６】
【図１】本実施の形態に係る受信機の正面図である。
【図２】受信機のブロック図である。
【図３】伝達記録情報を例示した図である。
【図４】情報記録処理のフローチャートである。
【図５】情報出力処理のフローチャートである。
【図６】報知画面の表示例である。
【図７】伝達画面の表示例である。
【図８】伝達情報のサムネイル画像の表示例である。
【発明を実施するための形態】
【００２７】
以下に、本発明に係る防災システムの実施の形態を図面に基づいて詳細に説明する。なお、この実施の形態によりこの発明が限定されるものではない。
【００２８】
〔実施の形態の基本的概念〕
まずは、実施の形態の基本的概念について説明する。実施の形態は、概略的に、防災システムに関するものである。
【００２９】
ここで、「防災システム」とは、伝達情報を出力するシステムであり、例えば、伝達情報を出力する専用システム、汎用装置（例えば、汎用的に用いられるコンピュータ等）に対して伝達情報を出力する機能を実装することにより実現されるシステム、あるいは、防災装置に対して伝達情報を出力する機能を実装することにより実現されるシステム等を含む概念である。また、「防災システム」とは、例えば、受付手段、及び出力手段を備える。
【００３０】
また、「防災装置」とは、防災のために用いられる装置であり、例えば、感知器、防災受信機（つまり、火災受信機）、防災表示装置、表示盤（アナンシエータ）、及び地図盤等を含む概念である。「感知器」とは、監視領域の異常（火災やガス漏れ等）を判定する機器であり、具体的には、監視領域の検出対象を検出することにより、異常を判定する機器であり、煙感知器、火災感知器、及びガス感知器等を含む概念である。「防災受信機」とは、監視領域の異常を監視する装置であり、例えば、感知器と電気的に接続されている装置である。「防災表示装置」とは、監視領域の異常に関する情報を表示する装置であり、例えば、感知器又は防災受信機と電気的に接続されている装置である。「監視領域」とは、監視の対象となっている領域であり、例えば、建物の部屋、階段、及び廊下等を含む概念である。
【００３１】
また、「伝達情報」とは、防災装置に関する情報であり、具体的には、伝達対象者に伝達するべき情報であり、例えば、防災装置の施工、点検、及び動作状態に関する申し送り事項等を含む概念である。「申し送り事項」とは、伝達者から伝達対象者に対して伝える事項である。「伝達者」とは、伝達情報を伝達する者であり、また、「伝達対象者」とは、伝達情報を伝達される者である。また、これらの「伝達者」及び「伝達対象者」については、相互に同一の者であってもよく、あるいは、相互に異なる者であってもよいが、以下に示す実施の形態では、相互に異なる者である場合について説明する。
【００３２】
また、「受付手段」とは、防災装置に関する伝達情報であって、伝達対象者に伝達するべき伝達情報を受け付ける手段であり、例えば、伝達情報を、防災装置の情報入力部を介して受け付ける手段等を含む概念である。「防災装置の情報入力部」とは、防災装置に設けられている情報入力装置又は情報入力機能であり、例えば、タッチパッド、操作ボタン、マウス、及びキーボード等を含む概念である。
【００３３】
また、「出力手段」とは、受付手段が受け付けた伝達情報を、当該伝達情報の伝達対象者に出力する手段であり、例えば、伝達対象者を示す情報を出力する手段、伝達情報を、音にて出力する手段、伝達情報を印字して出力する手段、伝達情報を他の装置を介して出力する手段、伝達情報を防災装置の情報出力部を介して出力する手段、出力タイミング特定情報に基づいて伝達情報を出力するタイミングを特定し、特定したタイミングに伝達情報を出力するための処理を行う手段等を含む概念である。また、「出力手段」とは、例えば、伝達情報を他の装置を介して表示出力する手段等を含む概念であり、また、受付手段が伝達情報を受け付けた場合、当該伝達情報に関する防災装置に対応する位置に設置されている対象装置を特定し、伝達情報を、特定した当該対象装置及び防災受信機を介して表示出力する等を含む概念である。
【００３４】
また、「他の装置」とは、伝達情報を受け付けた防災装置とは異なる他の装置であり、具体的には、ディスプレイ又は表示灯の如き表示部を有する装置であり、例えば、伝達情報を受け付けた防災装置と同じ種類又は異なる種類の防災装置、あるいは、防災装置以外の任意の装置である端末装置等を特定する概念である。つまり、例えば、伝達情報を受け付けたのが防災受信機である場合、例えば、感知器、防災表示装置、表示盤（アナンシエータ）、地図盤が「他の装置」に該当し、また、当該伝達情報を受け付けた防災受信機とは異なる別の防災受信機も「他の装置」に該当し、更に、防災装置以外の装置である端末装置も「他の装置」に該当することになる。
【００３５】
また、「対象装置」とは、他の装置における防災受信機以外の装置であり、例えば、表示盤、及び地図盤等を含む概念である。「防災装置の情報出力部」とは、防災装置に設けられている情報出力装置又は情報出力機能であり、例えば、ディスプレイ、スピーカ、及びプリンタ等を含む概念である。なお、ここでの「防災装置の情報出力部」については、例えば、伝達情報を受け付けた防災装置の情報出力部であるものと解釈してもよいし、あるいは、伝達情報を受け付けた防災装置とは異なる別の防災装置の情報出力部であるものと解釈してもよい。
【００３６】
また、「伝達情報を、当該伝達情報の伝達対象者に出力する」とは、例えば、少なくとも伝達情報が伝達対象者用の情報であることが特定できる形式にて当該伝達情報を出力することを含む概念である。「出力タイミング特定情報」とは、伝達情報を出力するタイミングを特定する情報であり、例えば、ユーザによって設定される情報等を含む概念である。「伝達情報を出力するための処理」とは、伝達情報を出力することに関連する処理であり、例えば、伝達情報を実際に出力すること、及び伝達情報を出力するための任意の情報（例えば、伝達情報が存在することを報知する情報等）を出力すること等を含む概念である。
【００３７】
そして、以下の実施形態では、「防災システム」が防災装置にて実現されており、また、「防災装置」が防災受信機（以下、単に「受信機」と称する）であり、また、「防災装置の情報入力部」がタッチパッドであり、「防災装置の情報出力部」がディスプレイである場合を例示して説明する。
【００３８】
［実施の形態の具体的内容］
次に、実施の形態の具体的内容について説明する。
【００３９】
（構成）
まず、本実施の形態に係る受信機の構成について説明する。図１は、本実施の形態に係る受信機の正面図であり、図２は、受信機のブロック図である。
【００４０】
図２の受信機１００は、防災システムであって、防災装置であり、例えば、通信部１１、操作部１２、表示部１３、音響部１４、印刷部１５、記録部１６、及び制御部１７を備える。
【００４１】
（構成−通信部）
通信部１１は、ネットワークを介して外部装置（例えば、不図示の感知器等）との間で通信するための通信手段である。この通信部１１の具体的な種類や構成は任意であるが、例えば、公知の通信回路等を用いて構成することができる。
【００４２】
（構成−操作部）
操作部１２は、ユーザから各種操作入力を受け付ける操作手段である。この操作部１２の具体的な種類や構成は任意であるが、例えば、図１のタッチパッド１２１を備えて構成される。タッチパッド１２１は、情報入力部であり、ユーザの指等で押圧されることにより、当該ユーザから各種操作入力を受け付けるように構成されており、一例としては、抵抗膜方式や静電容量方式等による操作位置検出手段を備えた公知のものを用いることができる。
【００４３】
（構成−表示部）
表示部１３は、制御部１７の制御に基づいて情報を表示する表示手段である。この表示部１３の具体的な種類や構成は任意であるが、例えば、図１のディスプレイ１３１を備えて構成される。ディスプレイ１３１は、情報出力部であり、例えば、公知の液晶ディスプレイや有機ＥＬディスプレイの如きフラットパネルディスプレイ（つまり、平面ディスプレイ）等を用いて構成することができる。なお、上記の操作部１２のタッチパッド１２１と表示部１３のディスプレイ１３１とを相互に重畳してタッチパネルとして一体形成しているものとして、以下説明する。
【００４４】
（構成−音響部）
音響部１４は、制御部１７の制御に基づいて音声情報を出力する音響手段である。この音響部１４の具体的な種類は任意であるが、例えば、図１のスピーカ１４１を備えて構成される。
【００４５】
（構成−印刷部）
印刷部１５は、制御部１７の制御に基づいて紙面情報を出力する印刷手段である。この印刷部１５の具体的な種類は任意であるが、例えば、図１のプリンタ１５１を備えて構成される。
【００４６】
（構成−記録部）
記録部１６は、受信機１００の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。この記録部１６には、例えば、伝達記録情報が記録されている。
【００４７】
（構成−記録部−伝達記録情報）
「伝達記録情報」とは、伝達情報に関する情報である。図３は、伝達記録情報を例示した図である。この図３に示すように、伝達記録情報は、例えば、項目「メモＩＤ」、項目「内容情報」、項目「伝達者情報」、項目「伝達対象者情報」、項目「記録日時情報」、及び項目「タイミング情報」と、各項目に対応する情報とが関連付けられている情報である。項目「メモＩＤ」に対応する情報は、伝達情報を一意に識別するメモ識別情報（以下、識別情報を「ＩＤ」と称する）である（図３では、「ＩＤｍ００１」等）。項目「内容情報」に対応する情報は、伝達情報の内容を特定する内容情報である（図３では、申し送り事項であって、テキスト情報であり、「感知器Ａを取り外したので、障害がでています」等）。項目「伝達者情報」に対応する情報は、伝達者を特定する伝達者情報である（図３では、氏名であり、「ＡＡ  ＡＡ」等）。なお、この伝達者情報としては、図３では、氏名を例示しているが、氏名と共に又は氏名の代わりに、伝達者が所属する会社名、又は部署名等を用いてもよい（伝達対象者情報も同様とする）。項目「伝達対象者情報」に対応する情報は、伝達対象者を特定する伝達対象者情報である（図３では、氏名であり、「ＢＢ  ＢＢ」等）。項目「記録日時情報」に対応する情報は、伝達情報を記録した日時を特定する記録日時情報である（図３では、日付及び時分であり、０６月０１日１８時００分を特定する「０６０１１８００」等）。項目「タイミング情報」に対応する情報は、出力タイミング特定情報であり、具体的には、伝達情報が存在することを報知する情報を出力するタイミングを特定するタイミング情報である（図３では、受信機１００の電源を入れた直後のタイミングである「電源オン」、あるいは、受信機１００の詳細設定等を行うモードである作業モードに当該受信機１００を切り替えたタイミングである「作業モード切替」等）。そして、このような伝達記録情報の具体的な記録手法は任意であるが、例えば、後述する情報記録処理で記録されることとする。
【００４８】
（構成−制御部）
制御部１７は、受信機１００を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る制御プログラムは、任意の記録媒体又はネットワークを介して受信機１００にインストールされることで、制御部１７の各部を実質的に構成する。
【００４９】
この制御部１７は、機能概念的に、受付部１７１、及び出力部１７２を備える。受付部１７１は、防災装置である受信機１００に関する伝達情報であって、伝達対象者に伝達するべき伝達情報を受け付ける受付手段である。出力部１７２は、受付部１７１が受け付けた伝達情報を、伝達情報の伝達対象者に出力する出力手段である。なお、この制御部１７の各部により行われる処理については、後述する。
【００５０】
（処理）
次に、このように構成され受信機１００によって実行される情報記録処理、及び情報出力処理について説明する。ここでは、例えば、各処理について、オフィスビルを新築する場合において、受信機１００の施工時に、０６月０１日に作業を行った図３の「ＡＡ  ＡＡ」の作業員が、「ＢＢ  ＢＢ」の作業員に対して、感知器Ａに障害がでている旨を伝達する場合を例示して説明する。なお、これらの作業員については、適宜「ユーザ」と称して説明する。
【００５１】
（処理−情報記録処理）
まず、情報記録処理について説明する。図４は、情報記録処理のフローチャートである（以下の各処理の説明ではステップを「Ｓ」と略記する）。「情報記録処理」とは、概略的には、受信機１００によって実行される処理であり、具体的には、伝達情報を受け付けて記録する処理である。この情報記録処理を実行するタイミングは任意であるが、例えば、受信機１００の電源をオンした場合に、繰り返し起動して実行を開始するものとし、実行が開始されたところから説明する（後述の情報出力処理も同様とする）。
【００５２】
図４のＳＡ１において受付部１７１は、伝達情報が入力されたか否かを判定する。具体的には任意であるが、例えば、タッチパッド１２１を介するユーザによる操作入力を監視して、伝達情報が入力されたか否かを判定する。詳細には、ユーザが、タッチパッド１２１を操作することにより、ディスプレイ１３１に不図示の伝達情報入力画面を表示し、当該画面を伝達情報の入力を行うこととして、以下説明する。なお、「伝達情報入力画面」とは、伝達情報を入力するための外面であり、例えば、図３の内容情報、伝達者情報、伝達対象者情報、及びタイミング情報を入力する入力欄が設けられている画面である。そして、ユーザが不図示の伝達情報入力画面を表示した上で、内容情報、伝達者情報、伝達対象者情報、及びタイミング情報を入力する操作（以下、情報入力操作）を行っていない場合、伝達情報が入力されていないものと判定し（ＳＡ１のＮＯ）、伝達情報が入力されたものと判定するまで、繰り返しＳＡ１を実行する。また、ユーザが「情報入力操作」を行った場合、伝達情報が入力されたものと判定し（ＳＡ１のＹＥＳ）、ＳＡ２に移行する。
【００５３】
ここでは、例えば、「ＡＡ  ＡＡ」の作業員が、「情報入力操作」を行って、図３の最上段の情報（つまり、内容情報である「感知器Ａを取り外したので、障害がでています」、伝達者情報である「ＡＡ  ＡＡ」、伝達対象者情報である「ＢＢ  ＢＢ」、及びタイミング情報である「電源オン」）を入力した場合、伝達情報が入力されたものと判定する。
【００５４】
図４のＳＡ２において受付部１７１は、伝達情報を受け付ける。具体的には任意であるが、例えば、ＳＡ１で入力された伝達情報を受け付ける。ここでは、例えば、ＳＡ１で例示した図３の最上段の情報を受け付ける。
【００５５】
図４のＳＡ３において受付部１７１は、伝達情報を記録する。具体的には任意であるが、例えば、ＳＡ２で受け付けた伝達情報を記録する。詳細には、不図示の伝達情報入力画面の各欄に入力された情報を、図３における対応する情報として記録する。より詳細には、まず、一意となるメモＩＤを生成した上で、当該メモＩＤを記録し、また、ＳＡ２で受け付けた内容情報、伝達者情報、伝達対象者情報、及びタイミング情報を記録し、また、受信機１００の不図示の計時手段（タイマー等）から現在の日時を取得し、取得した日時に対応する情報を記録日時情報として記録する。ここでは、例えば、図３の最上段の情報を記録する。これにて、情報記録処理を終了する。
【００５６】
（処理−情報出力処理）
次に、情報出力処理について説明する。図５は、情報出力処理のフローチャートである。「情報出力処理」とは、概略的には、受信機１００によって実行される処理であり、具体的には、伝達情報を出力する処理であり、例えば、報知画面及び伝達画面を表示する処理である。
【００５７】
「報知画面」とは、伝達情報が存在することを報知するための画面である。図６は、報知画面の表示例である。この図６に示すように、報知画面には、伝達者表示情報Ｇ１１、伝達対象者表示情報Ｇ１２、報知表示情報Ｇ１３、「表示」ボタン、及び「スキップ」ボタンが含まれている。「伝達者表示情報」Ｇ１１とは、伝達者を表示する情報であり、また、「伝達対象者表示情報」Ｇ１２とは、伝達対象者を表示する情報であり、また、「報知表示情報」Ｇ１３とは、伝達情報に関する案内を表示する情報である。また、「表示」ボタン及び「スキップ」ボタンは、操作入力を行うための操作ボタンである。
【００５８】
「伝達画面」とは、伝達情報を表示出力するための画面である。図７は、伝達画面の表示例である。この図７に示すように、伝達画面には、伝達者表示情報Ｇ１１、伝達対象者表示情報Ｇ１２、内容表示情報Ｇ１４、記録日時表示情報Ｇ１５、及び「確認」ボタンが含まれている。「内容表示情報」Ｇ１４とは、伝達情報の内容を表示する情報であり、また、「記録日時表示情報」Ｇ１５とは、伝達情報を記録した日時を表示する情報であり、また、「確認」ボタンは、操作入力を行うための操作ボタンである。
【００５９】
図５のＳＢ１において出力部１７２は、報知画面を表示するか否かを判定する。具体的には任意であるが、図３のタイミング情報を全て取得し、取得した各タイミング情報に対応する各タイミングを特定し、また、現在の自己の状態を任意の手法（例えば、電源をオンした日時及び現在設定されているモードを示す情報が、記録部１６に記録されていることとし、これらの記録されている情報を参照する手法等）で把握し、特定した各タイミングにおいて、把握した自己の状態に合致するものがあるか否かに基づいて判定する。そして、合致するものがない場合、報知画面を表示しないものと判定し（ＳＢ１のＮＯ）、報知画面を表示するものと判定するまで、繰り返しＳＢ１を実行する。また、合致するものがある場合、報知画面を表示するものと判定し（ＳＢ１のＹＥＳ）、ＳＢ２に移行する。
【００６０】
ここでは、例えば、電源をオンした日時として、受信機１００の不図示の計時手段が計時した現在の日時の直近の日時（例えば、現在の日時の５分以内前等の日時）が記録されている場合を例示して説明する。まず、図３のタイミング情報として「電源オン」、及び「作業モード切替」等を取得し、取得した各情報に対応するタイミングを特定し、また、前述の任意の手法にて、現在の自己の状態が受信機１００の電源を入れた直後のタイミングであることを把握した上で、特定した「電源オン」に対応するタイミングが、自己の状態に合致するものと判定し、報知画面を表示するものと判定する。
【００６１】
図５のＳＢ２において出力部１７２は、報知画面を表示する。具体的には任意であるが、まず、図３の伝達記録情報を参照して、ＳＢ１で合致するものと判定されたタイミングに対応するタイミング情報に対応付けられている伝達者情報、及び伝達対象者情報を取得し、取得した各情報に対応する情報を、伝達者表示情報Ｇ１１、及び伝達対象者表示情報Ｇ１２として含み、また、予め設定されている案内のための所定の文言を報知表示情報Ｇ１３として含む報知画面を生成して、生成した報知画面をディスプレイ１３１に表示する。
【００６２】
ここでは、例えば、図３の伝達記録情報を参照して、ＳＢ１で合致するものと判定されたタイミングに対応するタイミング情報である「電源オン」に対応付けられている伝達者情報である「ＡＡ  ＡＡ」、及び伝達対象者情報である「ＢＢ  ＢＢ」を取得し、取得した各情報に対応する情報を、図６に図示されている伝達者表示情報Ｇ１１、及び伝達対象者表示情報Ｇ１２として含み、また、予め設定されている案内のための所定の文言である「伝達事項があります。関係者は確認して下さい。」を報知表示情報Ｇ１３として含む報知画面を生成して、生成した報知画面をディスプレイ１３１に表示する。なお、実際には、ＳＢ１で合致するものと判定されたタイミングに対応するタイミング情報が複数存在することも考えられるが、この場合、複数の報知画面をディスプレイ１３１に並べて表示してもよい（後述のＳＢ４の処理も同様とする）。
【００６３】
図５のＳＢ３において出力部１７２は、伝達画面を表示するか否かを判定する。具体的には任意であるが、例えば、タッチパッド１２１を介する報知画面に対する操作入力に基づいて判定し（ＳＢ３のＮＯ）、処理を終了する。そして、報知画面にて「スキップ」ボタンを押下する操作入力を受け付けた場合、伝達画面を表示しないものと判定し、処理を終了する。また、報知画面にて「表示」ボタンを押下する操作入力を受け付けた場合、伝達画面を表示するものと判定し（ＳＢ３のＹＥＳ）、ＳＢ４に移行する。
【００６４】
ここでは、例えば、「ＢＢ  ＢＢ」の作業員が、伝達画面を視認することにより、伝達対象者として自己が設定されている伝達事項が存在することを認識し、図６の「表示」ボタンを押下した場合、伝達画面を表示するものと判定する。
【００６５】
図５のＳＢ４において出力部１７２は、伝達画面を表示する。具体的には任意であるが、例えば、まず、図３の伝達記録情報を参照して、ＳＢ１で合致するものと判定されたタイミングに対応するタイミング情報に対応付けられている内容情報、伝達者情報、伝達対象者情報、及び記録日時情報を取得し、取得した各情報に対応する情報を、伝達者表示情報Ｇ１１、伝達対象者表示情報Ｇ１２、内容表示情報Ｇ１４、及び記録日時表示情報Ｇ１５として含む伝達画面を生成して、生成した報知画面をディスプレイ１３１に表示する。
【００６６】
ここでは、例えば、図３の伝達記録情報を参照して、ＳＢ１で合致するものと判定されたタイミングに対応するタイミング情報である「電源オン」に対応付けられている内容情報である「感知器Ａを取り外したので、障害がでています」、伝達者情報である「ＡＡ  ＡＡ」、伝達対象者情報である「ＢＢ  ＢＢ」、及び記録日時情報である「０６０１１８００」を取得し、取得した各情報に対応する情報を、図７に図示されている伝達者表示情報Ｇ１１、伝達対象者表示情報Ｇ１２、内容表示情報Ｇ１４、及び記録日時表示情報Ｇ１５として含む伝達画面を生成して、生成した伝達画面をディスプレイ１３１に表示する。これにて、情報出力処理を終了する。
【００６７】
なお、伝達画面を表示した後の処理は任意であるが、例えば、図７の「確認」ボタンを押下する操作入力を出力部１７２が受け付けた場合に、制御部１７が、伝達画面を消去した上で、図３の伝達記録情報において、当該消去した伝達画面に表示されていた各情報を消去してもよい。又は、セキュリティ確保の観点から、伝達画面を表示した後に所定時間（例えば、２分〜３分）経過した場合に、伝達画面及び当該伝達画面に関連する伝達記録情報を消去してもよい。あるいは、図３の伝達記録情報については消去せずに、図３において表示済である情報に「既読」等を記録した上で、ユーザが確認したにも関わらず、繰り返し表示されることを防止してもよい。また、ユーザがタッチパッド１２１を介する所定操作を受け付け場合に、当該既読となっている伝達情報を再表示してもよい。
【００６８】
（実施の形態の効果）
このように本実施の形態によれば、受付部１７１が受け付けた伝達情報を、伝達情報の伝達対象者に出力することにより、例えば、防災装置である受信機１００に関する伝達情報を伝達対象者に確実に伝達することが可能となる。
【００６９】
また、伝達対象者を示す情報を出力することにより、例えば、防災システムである受信機１００のユーザに対して、自己に伝達されるべき情報であるか否かを判断させることができるので、ユーザに無関係な情報を読ませることにより時間を浪費させたり、あるいは、ユーザによる伝達情報の見落としを防止したりすることが可能となる。
【００７０】
また、伝達情報を防災装置の情報出力部であるディスプレイ１３１を介して出力することが可能となるので、例えば、伝達情報に関連する受信機１００の側で伝達情報を確認することができるので、受信機１００に関する作業時等に伝達情報を確認することができ、利便性を向上させることが可能となる。
【００７１】
また、特定したタイミングに伝達情報を出力するための処理を行うことが可能となるので、例えば、伝達情報を確認するべき適切なタイミングに当該伝達情報を確認させることが可能となる。
【００７２】
また、伝達情報を受信機１００の情報入力部を介して受け付けることにより、例えば、伝達情報に関連する受信機１００の側で伝達情報を入力することができるので、受信機１００に関する作業時等に伝達情報を入力することができ、利便性を向上させることが可能となる。
【００７３】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７４】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００７５】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。また、本出願における「装置」とは、単一の装置によって構成されたものに限定されず、複数の装置によって構成されたものを含む。
【００７６】
（伝達記録情報について）
また、上記実施の形態では、伝達記録情報として、図３に図示されている各項目の情報が記録される場合を例示して説明したが、これに限らない。例えば、伝達者情報及び記録日時情報を省略してもよい。
【００７７】
（伝達画面について（その１））
また、上記実施の形態の図５のＳＡ４にて伝達画面を表示する前にユーザの認証を行ってもよい。具体的には、伝達画面（つまり、伝達情報）は、基本的には、伝達対象者宛ての情報であることに着目して、伝達画面を表示する前に伝達画面を表示する操作を行った（例えば、図６の報知画面の「表示」ボタンを押下する操作を行った）人が伝達対象者であるか否かを判定し、伝達対象者であるものと判定した場合にのみ、図７の伝達画面を表示するように構成してもよい。具体的な実装手段は任意であるが、例えば、各ユーザに対してパスワードを配布して、配布したパスワードを記録部１６に記録し、出力部１７２が、当該記録したパスワードのうちの伝達対象者に対応するものと、ユーザが入力したパスワードとが相互に合致するか否かに基づいて判定してもよい。
【００７８】
（伝達画面について（その２））
また、上記実施の形態の図６の報知画面を表示する処理を省略して、図３のタイミング情報が特定するタイミングに、図７の伝達画面を表示するように構成してもよい。また、例えば、図３のタイミング情報を省略することにより、伝達情報が常時ディスプレイ１３１に表示されるように構成してもよい。
【００７９】
（タイミング情報について）
また、上記実施の形態の図３では、タイミング情報として「電源オン」及び「作業モード切替」を図示して説明したが、他のタイミングを特定する情報を設定して格納してもよい。具体的には、例えば、所定の時刻（確認されるまで毎日）や、所定の曜日の所定の時刻、又は所定の日付（例えば月末や月初（１日））の所定の時刻等を、タイミング情報として設定して格納してもよい。
【００８０】
（音にて出力する場合について）
また、上記実施の形態の伝達情報を音にて出力してもよい。具体的には任意であるが、例えば、出力部１７２が、スピーカ１４１を介して伝達情報を音にて出力してもよい。詳細には、例えば、画面操作、確認を促す目的で、音を鳴らしてもよく、あるいは、例えば、音で報知する場合は、火災発報時または障害発生時の報知音と異ならせてもよく、あるいは、伝達情報を機械が読み上げる音声を出力してもよい。このように構成した場合、伝達対象者に対して伝達情報の存在を気付かせることができるので、防災装置に関する伝達情報を伝達対象者に確実に伝達することが可能となる。また、例えば、防災装置の施工中等の比較的煩雑で見通しが良くない場合においても、防災装置に関する伝達情報を伝達対象者に確実に伝達することが可能となる。
【００８１】
（印字して出力する場合について）
また、上記実施の形態の伝達情報を印字して出力してもよい。具体的には任意であるが、例えば、出力部１７２が、プリンタ１５１を介して伝達情報を紙面に印字して出力してもよい。詳細には、例えば、任意のルール（例えば、伝達情報に緊急性の度合いである緊急度を関連付けて格納した上で、伝達情報の緊急度が最高レベルであれば赤色にて印字し、伝達情報の緊急度が最高レベルよりも低い場合は黄色にて印字し、伝達情報の緊急度が黄色のレベルよりも更に低い場合は青色で印字する等のルール）に基づいて印字色を異ならせてもよい。このように構成した場合、伝達情報を残すことができるので、一度見て失念した伝達情報を思い出させることが可能となる。
【００８２】
（他の装置を介して出力する場合について（その１））
また、上記実施の形態の伝達情報を他の装置を介して出力してもよい。具体的には任意であるが、例えば、出力部１７２が、他の装置である表示盤（アナンシエータ）、地図盤等に対して伝達情報を送信した上で、当該他の装置の表示部であるディスプレイに伝達情報を表示して出力してもよい。このように構成した場合、防災装置から離れた場所にて伝達情報を伝達することができるので、利便性を向上させることが可能となる。特に、例えば、防災装置の施工中等の騒然としている場合においても、防災装置に関する伝達情報を伝達対象者に確実に伝達することが可能となる。
【００８３】
（他の装置を介して出力する場合について（その２））
また、「（他の装置を介して出力する場合について（その１））」で説明した場合において、図２の出力部１７２が設けられている受信機１００以外にも当該受信機１００と通信可能な他の受信機が設けられている場合、出力部１７２が、他の受信機に対して伝達情報を送信した上で、当該他の受信機の表示部であるディスプレイに伝達情報を表示して出力してもよい。
【００８４】
（他の装置を介して出力する場合について（その３））
また、建物の各階に感知器、表示盤、及び地図盤が設置されており、また、受信機１が建物の１か所の所定位置（例えば、１階の管理室等）に設置されている場合において、受信機１の記録部１６に対して感知器、表示盤及び地図盤が設置されている位置を特定する情報が記録されていることとして、以下のように伝達情報を出力してもよい。具体的には、受付部１７１が、特定の感知器についての伝達情報（例えば、感知器を施工中であること、感知器を点検中であること、あるいは、感知器に不具合が発生していること等を特定する情報）を防災装置に関する伝達情報として受け付けた場合、出力部１７２が、受付部１７１が受け付けた伝達情報から当該情報に対応する防災装置として前述の特定の感知器を特定し、前述の記録されている情報を参照した上で、当該特定した感知器と同じ階に設置されている表示盤及び地図盤を、対応する位置に設置されている対象装置として特定し、特定した表示盤及び地図盤に前述の受け付けた伝達情報を送信して、当該表示盤及び地図盤のディスプレイに伝達情報を出力し、また、受信機１のディスプレイ１３１にも前述の受け付けた伝達情報を表示してもよい。なお、ここでの伝達情報の表示態様は任意であるが、例えば、実施の形態又は変形例と同様にして表示してもよい。このように構成した場合、伝達情報に関する防災装置（例えば、感知器）に対応する位置に設置されている対象装置（例えば、表示盤及び地図盤）を特定し、伝達情報を、特定した当該対象装置及び防災受信機（例えば、受信機１）を介して表示出力することにより、例えば、防災受信機側に加えて、伝達情報に関連する防災装置の設置位置に対応する位置に設置されている対象装置側でも、伝達情報を確認させることができるので、利便性を更に向上させることが可能となる。
【００８５】
（サムネイル画像について）
図８は、伝達情報のサムネイル画像の表示例である。この図８に示すように、出力部１７２が、図３の伝達記録情報のうちの内容情報を含まない一部のみの情報を含むサムネイル画像であって、例えば、いわゆる付箋をイメージさせる当該サムネイル画像を、ディスプレイ１３１に表示するように構成してもよい。そして、ユーザが当該サムネイル画像を選択した場合に、出力部１７２が、図７の伝達画面のように、図３の伝達記録情報のうちの内容情報を含む情報を表示するように構成してもよい。また、このサムネイル画像を表示する場合、伝達者単位、あるいは、伝達者の所属（会社又は部署等）単位で、相互に異なる背景色にて表示してもよい。
【００８６】
（情報入力の支援機能）
また、上記実施の形態の図４のＳＡ１にて、ユーザがタッチパッド１２１を介して情報を入力するが、この情報の入力を支援する機能を実装してもよい。例えば、キーボード画像をディスプレイ１３１に表示して当該キーボード画像の操作により情報を、入力できるように構成してもよいし、あるいは、入力するべき情報の候補を予め記録しておき、当該記録されている候補から選択により、情報を入力できるように構成してもよい。また、マイク等の集音装置を設けて、情報を音声入力できるように構成してもよい。
【００８７】
（通信出力について）
また、上記実施の形態では、伝達情報をディスプレイ１３１に表示して出力する場合について説明したが、これに限らず、例えば、出力部１７２が、伝達情報を、当該伝達情報の伝達対象者の端末装置（例えば、スマートフォン等の携帯端末や、デスクトップパソコン等の据え置き型のコンピュータ等）に送信して出力してもよい。また、例えば、当該端末装置を用いて伝達情報を入力して格納可能となるように構成してもよい。
【００８８】
（特徴について）
また、実施の形態の特徴及び変形例の特徴を任意に組み合わせてもよい。
【００８９】
（付記）
付記１の防災システムは、防災装置に関する伝達情報であって、伝達対象者に伝達するべき前記伝達情報を受け付ける受付手段と、前記受付手段が受け付けた前記伝達情報を、当該伝達情報の前記伝達対象者に出力する出力手段と、を備える。
【００９０】
付記２の防災システムは、付記１に記載の防災システムにおいて、前記出力手段は、前記伝達対象者を示す情報を出力する。
【００９１】
付記３の防災システムは、付記１又は２に記載の防災システムにおいて、前記出力手段は、前記伝達情報を、前記防災装置の情報出力部を介して出力する。
【００９２】
付記４の防災システムは、付記１から３の何れか一項に記載の防災システムにおいて、前記出力手段は、前記伝達情報を、音にて出力する。
【００９３】
付記５の防災システムは、付記１から４の何れか一項に記載の防災システムにおいて、前記出力手段は、前記伝達情報を、印字して出力する。
【００９４】
付記６の防災システムは、付記１から５の何れか一項に記載の防災システムにおいて、前記出力手段は、前記伝達情報を、表示部を有する他の装置を介して表示出力し、前記他の装置は、少なくとも、防災受信機、表示盤、又は地図盤を含む。
【００９５】
付記７の防災システムは、付記６に記載の防災システムにおいて、前記他の装置における前記防災受信機以外の装置である対象装置は、前記防災装置に対応する位置に設置されており、前記出力手段は、前記受付手段が前記伝達情報を受け付けた場合、当該伝達情報に関する前記防災装置に対応する位置に設置されている前記対象装置を特定し、前記伝達情報を、特定した当該対象装置及び前記防災受信機を介して表示出力する。
【００９６】
付記８の防災システムは、付記１から７の何れか一項に記載の防災システムにおいて、前記出力手段は、出力タイミング特定情報に基づいて前記伝達情報を出力するタイミングを特定し、特定したタイミングに前記伝達情報を出力するための処理を行う。
【００９７】
付記９の防災システムは、付記１から８の何れか一項に記載の防災システムにおいて、前記受付手段は、前記伝達情報を、前記防災装置の情報入力部を介して受け付ける。
【００９８】
（付記の効果）
付記１に記載の防災システムによれば、受付手段が受け付けた伝達情報を、伝達情報の伝達対象者に出力することにより、例えば、防災装置に関する伝達情報を伝達対象者に確実に伝達することが可能となる。
【００９９】
付記２に記載の防災システムによれば、伝達対象者を示す情報を出力することにより、例えば、防災システムのユーザに対して、自己に伝達されるべき情報であるか否かを判断させることができるので、ユーザに無関係な情報を読ませることにより時間を浪費させたり、あるいは、ユーザによる伝達情報の見落としを防止したりすることが可能となる。
【０１００】
付記３に記載の防災システムによれば、伝達情報を防災装置の情報出力部を介して出力することが可能となるので、例えば、伝達情報に関連する防災装置の側で伝達情報を確認することができるので、防災装置に関する作業時等に伝達情報を確認することができ、利便性を向上させることが可能となる。
【０１０１】
付記４に記載の防災システムによれば、伝達情報を音にて出力することにより、例えば、伝達対象者に対して伝達情報の存在を気付かせることができるので、防災装置に関する伝達情報を伝達対象者に確実に伝達することが可能となる。また、例えば、防災装置の施工中等の比較的煩雑で見通しが良くない場合においても、防災装置に関する伝達情報を伝達対象者に確実に伝達することが可能となる。
【０１０２】
付記５に記載の防災システムによれば、伝達情報を印字して出力することにより、例えば、伝達情報を残すことができるので、一度見て失念した伝達情報を思い出させることが可能となる。
【０１０３】
付記６に記載の防災システムによれば、伝達情報を他の装置を介して表示出力することにより、例えば、防災装置から離れた場所にて伝達情報を伝達することができるので、利便性を向上させることが可能となる。特に、例えば、防災装置の施工中等の騒然としている場合においても、防災装置に関する伝達情報を伝達対象者に確実に伝達することが可能となる。
【０１０４】
付記７に記載の防災システムによれば、伝達情報に関する防災装置に対応する位置に設置されている対象装置を特定し、伝達情報を、特定した当該対象装置及び防災受信機を介して表示出力することにより、例えば、防災受信機側に加えて、伝達情報に関連する防災装置の設置位置に対応する位置に設置されている対象装置側でも、伝達情報を確認させることができるので、利便性を更に向上させることが可能となる。
【０１０５】
付記８に記載の防災システムによれば、特定したタイミングに伝達情報を出力するための処理を行うことが可能となるので、例えば、伝達情報を確認するべき適切なタイミングに当該伝達情報を確認させることが可能となる。
【０１０６】
付記９に記載の防災システムによれば、伝達情報を防災装置の情報入力部を介して受け付けることにより、例えば、伝達情報に関連する防災装置の側で伝達情報を入力することができるので、防災装置に関する作業時等に伝達情報を入力することができ、利便性を向上させることが可能となる。
【符号の説明】
【０１０７】
１１  通信部
１２  操作部
１３  表示部
１４  音響部
１５  印刷部
１６  記録部
１７  制御部
１００  受信機
１２１  タッチパッド
１３１  ディスプレイ
１４１  スピーカ
１５１  プリンタ
１７１  受付部
１７２  出力部
Ｇ１１  伝達者表示情報
Ｇ１２  伝達対象者表示情報
Ｇ１３  報知表示情報
Ｇ１４  内容表示情報
Ｇ１５  記録日時表示情報
【図１】
2020027502.tif 000003
【図２】
2020027502.tif 000004
【図３】
2020027502.tif 000005
【図４】
2020027502.tif 000006
【図５】
2020027502.tif 000007
【図６】
2020027502.tif 000008
【図７】
2020027502.tif 000009
【図８】
2020027502.tif 000010